(57)【要約】      （修正有）【課題】ボールペン、鉛筆、水性、油性のインキマーカー、特殊なフリクションボールペン等の所定の筆記具での書き込みが可能で、しかも、書き込んだインキの消去が簡単に行なえること。また、特殊シートへの書き込み、消去が少なくとも数百回は可能で、リサイクル化を図り、紙の省資源化を図ること。【解決手段】紙材からなるベース基材２と、ベース基材２の表面に貼合した厚み１２μｍ〜５０μｍのポリエステルフィルム層３とでシート本体１を構成する。ホワイトボード専用のインキマーカーでポリエステルフィルム層３に文字等の書き込みができ、インキを消去する時は、付属の消し部、ティッシュペーパー、消しゴムのいずれでも消去することができる。シート本体１の全面にわたって書かれている文字等を一気に消す場合は、ティッシュペーパーを摘んでインキをこすっていくだけで、消去することができるので、ティッシュペーパーが最も効率が良い。【選択図】図１
2010167728.tif 000002
【特許請求の範囲】
【請求項１】
ベース基材（２）の表面に、厚みが１２μｍ〜５０μｍのポリエステルフィルム層（３）を貼合してシート本体（１）を構成していることを特徴とする特殊シート。
【請求項２】
ベース基材（２）の表面に、厚みが２０μｍ〜１００μｍのポリプロピレンフィルム層（６）を貼合してシート本体（１）を構成していることを特徴とする特殊シート。
【請求項３】
ベース基材（２）の表面に、厚みが３５μｍ〜１００μｍのポリプロピレンのパールフィルム層（９）を貼合してシート本体（１）を構成していることを特徴とする特殊シート。
【発明の詳細な説明】
【技術分野】
【０００１】
本発明は、ボールペン、鉛筆、水性、油性のインキマーカー、特殊なフリクションボールペン等での書き込みが可能で、しかも、インキの消去が簡単に行なえる特殊シートに関するものである。
【背景技術】
【０００２】
一般の紙に書く筆記具として、従来より、鉛筆、ボールペン、水性、油性のインキマーカー等があり、紙にボールペン、インキマーカーにて文字等を書いた後に、インキを消去しようとしても消去が不可能なのは周知に事柄である。その点、鉛筆で紙に文字等を書いた後は、簡単に消去することができる。
【０００３】
文字等を書いた後に容易に消去できない筆記具としてボールペンやインキマーカーを用いたり、また、容易に消去可能な場合には鉛筆を使用するようにしている。このように、筆記具の種類は目的に応じて適宜選択して用いられている。
【０００４】
また、容易に書き込みができて、簡単に消去が可能なものとして、所謂ホワイトボードがあり、部屋内に置いておくホワイトボードや、またペーパー式の持ち運びが可能なホワイトボードがある。これらのホワイトボードの表面は特殊なコーティングが施されており、また筆記具として専用のインキマーカーが必要である。
従来のホワイトボード用のインキマーカーは太字であり、そのため、細字のインキマーカーが要望されていたが、最近、細字のインキマーカーも市販されている。
【０００５】
ところで、紙にボールペンで文字等を書いた場合、インキを消しゴムで消去が可能なフリクションボールペンと呼ばれる商品が最近市販されている。このフリクションボールペンは、インキをこすった場合に摩擦（フリクション）による熱にて該インキを消去するものである。そして、このフリクションボールペンには、専用の消しゴムがペンの端部に一体に設けてある。
【０００６】
フリクションボールペンで紙に文字等を書いた後に、修正部分の文字等を専用の消しゴムでこすることで、こすった部分の文字等を消去することができる。しかしながら、修正箇所が１文字、２文字等の少ない場合は、その部分だけこすることで、容易にインキ（文字）を消去することができるものの、１行〜数行、あるいは紙の全面にわたって文字等を消去する場合には、可能であるが、非常な労苦を必要とし、気分的には全面にわたって文字等を消去するにはならない。
この場合、その紙を廃棄して、新たにまっさらの紙を用意して最初から書くことになる。そのため、廃棄する紙が無駄になってしまうことになる。
【発明の概要】
【発明が解決しようとする課題】
【０００７】
本発明は上述の問題点に鑑みて提供したものであって、少なくとも以下の目的を持った特殊シートを提供することを目的としている。
（１）ボールペン、鉛筆、水性、油性のインキマーカー、特殊なフリクションボールペン等の所定の筆記具での書き込みが可能で、しかも、書き込んだインキの消去が簡単に行なえること。
（２）特殊シートへの書き込み、消去が少なくとも数百回は可能で、リサイクル化を図り、紙の省資源化を図ること。
（３）低価格、高品質な特殊シートを提供すること。
【課題を解決するための手段】
【０００８】
そこで、本発明の請求項１に記載の特殊シートでは、ベース基材２の表面に、厚みが１２μｍ〜５０μｍのポリエステルフィルム層３を貼合してシート本体１を構成していることを特徴としている。
【０００９】
請求項２に記載の特殊シートでは、ベース基材２の表面に、厚みが１２μｍ〜５０μｍのポリプロピレンフィルム層６を貼合してシート本体１を構成していることを特徴としている。
【００１０】
請求項３に記載の特殊シートでは、ベース基材２の表面に、厚みが１２μｍ〜５０μｍのポリプロピレンのパールフィルム層９を貼合してシート本体１を構成していることを特徴としている。
【発明の効果】
【００１１】
本発明の請求項１に記載の特殊シートによれば、ベース基材２の表面に、厚みが１２μｍ〜５０μｍのポリエステルフィルム層３を貼合してシート本体１を構成しているので、ホワイトボード専用のインキマーカーにてポリエステルフィルム層３に文字等の書き込みが綺麗にでき、また、インキを消去する場合は、付属の消し部、ティッシュペーパー、消しゴムのいずれでも綺麗に消去することができる。
シート本体１の全面にわたって書かれている文字等を一気に消す場合は、ティッシュペーパーを摘んでインキを単にこすっていくだけで、インキを綺麗に消去することができるので、ティッシュペーパーが最も効率が良い。
一般に市販されている水性マーカーではシート本体１のポリエステルフィルム層３に文字等の書き込みは若干インキがはじき、全体として薄い状態となる。しばらくしてからは、指で触ったり、こすったりしても容易に消えることはない。
消しゴムでも文字等の消去は可能であるが、ティッシュペーパーで強くこすった場合の方が綺麗に消去することができる。
一般に市販されている油性マーカーでは、紙の場合と同様に綺麗に文字等を書き込みすることができる。油性マーカーのインキを消す場合、ティッシュペーパーでは消去できないが、消しゴムは可能である。この消しゴムで文字等を消す場合は、少し力を入れてこすると、文字等を綺麗に消去することができる。
市販されているフリクションボールペンは、線幅が少し細くなるが、実使用上問題なく文字等を書くことができる。指で触ってもあまり消えることはない。インキを消去する場合、消しゴム、ティッシュペーパーで容易に綺麗に消すことができる。ティッシュペーパーの方が簡単に綺麗に消すことができる。したがって、シート本体１の全面にわたって文字等を消す場合は、ティッシュペーパーの方が好適例である。
また、所定の筆記具４において、シート本体１の表面に綺麗に書くことができ、しかも所定の消しゴムやティッシュペーパーで綺麗に消すことができるので、少なくとも数百回の書き込み、消去が可能である。
また、例えば、Ａ４版の大きさのシート本体１として、その表面に学習用に文字や計算をし、不要となれば、消去することで、計算用紙等の無駄遣いを無くすことができ、省資源化に大いに寄与することができるものである。
さらに、ベース基材２の表面にポリエステルフィルム層３を貼合しているだけなので、シート本体１を安価に製造することができる。
【００１２】
請求項２に記載の特殊シートによれば、ベース基材２の表面に、厚みが１２μｍ〜５０μｍのポリプロピレンフィルム層６を貼合してシート本体１を構成しているので、ホワイトボード専用のインキマーカーではポリプロピレンフィルム層６の表面に文字等を綺麗に書くことができる。書いた後は、付属のフェルト状の消し部でこすると綺麗に消去が可能である。また、ティッシュペーパーでこすっても綺麗に消去が可能であり、消しゴムも簡単に文字等を消すことができる。
シート本体１の全面にわたって書かれている文字等を一気に消す場合は、ティッシュペーパーを摘んでインキを単にこすっていくだけで、インキを綺麗に消去することができるので、ティッシュペーパーが最も効率が良い。
一般に市販されている水性マーカーではシート本体１のポリエステルフィルム層３に文字等の書き込みは若干インキがはじき、全体として薄い状態となる。しばらくしてからは、指で触ったり、こすったりしても容易に消えることはない。
消しゴムでも文字等の消去は可能であるが、ティッシュペーパーで強くこすった場合の方が綺麗に消去することができる。
一般に市販されている油性マーカーでは、紙の場合と同様に綺麗に文字等を書き込みすることができる。油性マーカーのインキを消す場合、ティッシュペーパーでは消去できないが、消しゴムは可能である。この消しゴムで文字等を消す場合は、少し力を入れてこすると、文字等を綺麗に消去することができる。
フリクションボールペンは、線幅が少し細くなるが、実使用上問題なく文字等を書くことができる。インキを消去する場合、指やティッシュペーパーでこすると簡単に綺麗に消去することができる。また、消しゴムでも簡単に文字等を綺麗に消すことができる。したがって、シート本体１の全面にわたって文字等を消す場合は、ティッシュペーパーの方が好適例である。
鉛筆では、少し力を入れることで、少し薄い箇所も生じるが、実使用上問題はない。文字等を消す場合、ティッシュペーパーでは難しいが消しゴムでは綺麗に消すことができる。
ボールペンでポリプロピレンフィルム層６の表面に綺麗に書くことができる。このボールペンのインキを消去する場合、消しゴムでも綺麗に消すことができる。ティッシュペーパーでこすると綺麗に消去でき、そのため、シート本体１の全面にわたって文字等を消す場合は、ティッシュペーパーの方が好適例である。
また、所定の筆記具４において、シート本体１の表面に綺麗に書くことができ、しかも所定の消しゴムやティッシュペーパーで綺麗に消すことができるので、少なくとも数百回の書き込み、消去が可能である。
また、例えば、Ａ４版の大きさのシート本体１として、その表面に学習用に文字や計算をし、不要となれば、消去することで、計算用紙等の無駄遣いを無くすことができ、省資源化に大いに寄与することができるものである。
さらに、ベース基材２の表面にポリプロピレンフィルム層６を貼合しているだけなので、シート本体１を安価に製造することができる。
【００１３】
請求項３に記載の特殊シートによれば、ベース基材２の表面に、厚みが１２μｍ〜５０μｍのポリプロピレンのパールフィルム層９を貼合してシート本体１を構成しているので、フリクションボールペンは、線幅が若干細くなるが、実使用上全く問題なく文字等を書くことができる。インキを消去する場合、指やティッシュペーパーでこすると簡単に綺麗に消去することができる。また、消しゴムでも簡単に文字等を綺麗に消すことができる。したがって、シート本体１の全面にわたって文字等を消す場合は、ティッシュペーパーの方が好適例である。
鉛筆では、普通の紙の上に書いているようにパールフィルム層９の表面に綺麗に文字等を書くことができる。文字等を消す場合は、ティッシュペーパーでは無理であるが、消しゴムの場合は綺麗に消すことができる。
ゲルインキボールペンでは、パールフィルム層９の表面に綺麗に文字等を書くことができる。文字等を消す場合は、ティッシュペーパーでは無理であるが、消しゴムの場合は綺麗に消すことができる。
一般に市販されているボールペンでは、パールフィルム層９の表面に綺麗に文字等を書くことができる。文字等を消す場合は、ティッシュペーパーでは無理であるが、消しゴムの場合は綺麗に消すことができる。
このように、フリクションボールペンで書くことができるものの、このフリクションボールペンのインキを消す場合には、付属している消しゴムで消す必要はなく、一般の消しゴムで簡単に綺麗に消すことができる。なお、一般の紙にフリクションボールペンで書いたインキを一般の消しゴムで消しても、綺麗に消すことができず、跡が残る。
また、一般に市販されているボールペン、鉛筆で綺麗に書くことができ、しかも、一般の消しゴムで文字等を消すことができるものである。そのため、特に、やや特殊なフリクションボールペンを用いる必要はない。
また、所定の筆記具４において、シート本体１の表面に綺麗に書くことができ、しかも所定の消しゴムやティッシュペーパーで綺麗に消すことができるので、少なくとも数百回の書き込み、消去が可能である。
また、例えば、Ａ４版の大きさのシート本体１として、その表面に学習用に文字や計算をし、不要となれば、消去することで、計算用紙等の無駄遣いを無くすことができ、省資源化に大いに寄与することができるものである。
さらに、ベース基材２の表面にポリプロピレンのパールフィルム層９を貼合しているだけなので、シート本体１を安価に製造することができる。
【図面の簡単な説明】
【００１４】
【図１】本発明の第１の実施の形態におけるシート本体の要部拡大断面図である。
【図２】本発明の第１の実施の形態におけるシート本体のポリエステルフィルム層に筆記具にて書き込みをしている状態を示す説明図である。
【図３】本発明の第２の実施の形態におけるシート本体の要部拡大断面図である。
【図４】本発明の第３の実施の形態におけるシート本体の要部拡大断面図である。
【発明を実施するための形態】
【００１５】
（第１の実施の形態）
以下、本発明の実施の形態を図面を参照して詳細に説明する。図１は本発明の第１の実施形態における特殊シートであるシート本体１の要部拡大断面図を示しており、このシート本体１は、ベース基材２と、このベース基材２の表面に貼合したポリエステルフィルム層３とで構成されている。
【００１６】
シート本体１のベース基材２の材料としては、一般の紙材であり、また、厚さは任意の厚さの紙を用いることができる。ポリエステルフィルム層３の厚さは、１２μｍ〜５０μｍの範囲である。
【００１７】
本発明者は、省資源化の観点から、紙の無駄遣いを無くすべく、文字等を書き込んでは、インキを消去することができる材料を探求してきた結果、遂に、数百回の書き込み、消去が可能な材料を知見したものである。その材料は、第１の実施形態では、ポリエステルフィルムであり、後述する第２の実施形態では、ポリプロピレンフィルムであり、第３の実施形態では、東洋紡株式会社のポリプロピレンのパールフィルムである。
【００１８】
また、図２に示すように、シート本体１のポリエステルフィルム層３に書き込む筆記具４としては、本特殊シート（シート本体１）専用の筆記具ではなく、一般に市販されている筆記具である。なお、各実施形態において、容易に書き込み、消去が可能な筆記具の種類が異なるので、各実施形態において筆記具の種類による書き込み、消去の有無について詳述する。
【００１９】
（１）ホワイトボード専用のインキマーカー
このインキマーカーは、パイロット社製で、型番は、ＷＢＭＥ−１５ＥＦ−Ｂであり、インキは、アルコール系インキ（速乾性）である。
このインキマーカーでポリエステルフィルム層３の表面に文字等を書いた直後は、付属のフェルト状の消し部でこすると綺麗に消去が可能である。また、ティッシュペーパーでこすっても綺麗に消去が可能である。
【００２０】
上記インキマーカーでポリエステルフィルム層３に文字等を書いた後、しばらく時間を経過させると、付属の消し部やティッシュペーパーで軽くこすってもインキはポリエステルフィルム層３に保持されている。ある程度時間が経過した後は、付属の消し部にて少し力を入れてインキをこすると、インキを綺麗に消去することができる。
また、ティッシュペーパーである程度力を入れてこすってもインキを綺麗に消去することができる。また、一般に市販されている消しゴム（以下、「消しゴム」と記載している場合は、すべて一般に市販されている消しゴムのことをいう。）で、鉛筆で書いた字を消すようにこすっても綺麗に消去することができる。
【００２１】
ホワイトボード専用のインキマーカーにてポリエステルフィルム層３に文字等の書き込みが綺麗にでき、また、インキを消去する場合は、付属の消し部、ティッシュペーパー、消しゴムのいずれでも綺麗に消去することができる。
シート本体１の全面にわたって書かれている文字等を一気に消す場合は、ティッシュペーパーを摘んでインキを単にこすっていくだけで、インキを綺麗に消去することができるので、ティッシュペーパーが最も効率が良い。
【００２２】
（２）一般に市販されている水性マーカー
この水性マーカーではシート本体１のポリエステルフィルム層３に文字等の書き込みは若干インキがはじき、全体として薄い状態となる。しばらくしてからは、指で触ったり、こすったりしても容易に消えることはない。
消しゴムでも文字等の消去は可能であるが、ティッシュペーパーで強くこすった場合の方が綺麗に消去することができる。
【００２３】
（３）一般に市販されている油性マーカー
この油性マーカーでは、紙の場合と同様に綺麗に文字等を書き込みすることができる。油性マーカーのインキを消す場合、ティッシュペーパーでは消去できないが、消しゴムは可能である。この消しゴムで文字等を消す場合は、少し力を入れてこすると、文字等を綺麗に消去することができる。
【００２４】
（４）フリクションボールペン
フリクションボールペンは、線幅が少し細くなるが、実使用上問題なく文字等を書くことができる。指で触ってもあまり消えることはない。インキを消去する場合、消しゴム、ティッシュペーパーで容易に綺麗に消すことができる。ティッシュペーパーの方が簡単に綺麗に消すことができる。したがって、シート本体１の全面にわたって文字等を消す場合は、ティッシュペーパーの方が好適例である。
【００２５】
（５）鉛筆では、文字等を書くことができるものの、非常に薄くなり、実使用上は難しい。また、ゲルインキボールペンは、線が途切れるので、このゲルインキボールペンも実使用上難しい。
一般のボールペンは、ほとんど書けないので、ボールペンは適用不可である。
【００２６】
なお、ベース基材２へのポリエステルフィルム層３の貼合方法は、水性樹脂貼合法、ドライラミネーション・タック樹脂による貼合法、押し出しラミネーション等の周知の方法で良い。後述の実施形態における貼合方法も同様である。
【００２７】
また、ポリエステルフィルム層３の厚さを１２μｍ〜５０μｍとしているが、１２μｍ未満とした場合には、薄くなるので、フリクションボールペンで書いた場合などペン先で破損する場合がある。また、５１μｍ以上としても、コストが高くなり、経済的効果が乏しい。したがって、ポリエステルフィルム層３の厚みは、１２μｍ〜５０μｍの範囲が好適例である。
【００２８】
（第２の実施の形態）
図３は第２の実施形態を示し、本実施形態では、上記ポリエステルフィルム層３の代わりに、ポリプロピレンフィルムを用いてポリプロピレンフィルム層６にてシート本体１を構成したものである。
また、ポリプロピレンフィルム層６の厚さは、２０μｍ〜１００μｍの範囲としている。
【００２９】
（１）ホワイトボード専用のインキマーカー
このインキマーカーではポリプロピレンフィルム層６の表面に文字等を綺麗に書くことができる。
書いた後は、付属のフェルト状の消し部でこすると綺麗に消去が可能である。また、ティッシュペーパーでこすっても綺麗に消去が可能であり、消しゴムも簡単に文字等を消すことができる。
【００３０】
シート本体１の全面にわたって書かれている文字等を一気に消す場合は、ティッシュペーパーを摘んでインキを単にこすっていくだけで、インキを綺麗に消去することができるので、ティッシュペーパーが最も効率が良い。
【００３１】
（２）一般に市販されている水性マーカー
この水性マーカーではシート本体１のポリエステルフィルム層３に文字等の書き込みは若干インキがはじき、全体として薄い状態となる。しばらくしてからは、指で触ったり、こすったりしても容易に消えることはない。
消しゴムでも文字等の消去は可能であるが、ティッシュペーパーで強くこすった場合の方が綺麗に消去することができる。
【００３２】
（３）一般に市販されている油性マーカー
この油性マーカーでは、紙の場合と同様に綺麗に文字等を書き込みすることができる。油性マーカーのインキを消す場合、ティッシュペーパーでは消去できないが、消しゴムは可能である。この消しゴムで文字等を消す場合は、少し力を入れてこすると、文字等を綺麗に消去することができる。
【００３３】
（４）フリクションボールペン
フリクションボールペンは、線幅が少し細くなるが、実使用上問題なく文字等を書くことができる。インキを消去する場合、指やティッシュペーパーでこすると簡単に綺麗に消去することができる。また、消しゴムでも簡単に文字等を綺麗に消すことができる。したがって、シート本体１の全面にわたって文字等を消す場合は、ティッシュペーパーの方が好適例である。
【００３４】
（５）鉛筆では、少し力を入れることで、少し薄い箇所も生じるが、実使用上問題はない。文字等を消す場合、ティッシュペーパーでは難しいが消しゴムでは綺麗に消すことができる。
また、ゲルインキボールペンは、線が途切れるので、このゲルインキボールペンは実使用上難しい。
【００３５】
（６）ボールペン
ボールペンでポリプロピレンフィルム層６の表面に綺麗に書くことができる。このボールペンのインキを消去する場合、消しゴムでも綺麗に消すことができる。ティッシュペーパーでこすると綺麗に消去でき、そのため、シート本体１の全面にわたって文字等を消す場合は、ティッシュペーパーの方が好適例である。
【００３６】
ポリプロピレンフィルム層６の厚さを２０μｍ〜１００μｍの範囲としているが、２０μｍ未満であれば、ボールペンのペン先で破損する恐れがあり、また、１０１μｍ以上とすると、コストが高くなり、経済的効果が乏しい。したがって、２０μｍ〜１００μｍの範囲が好適例である。
【００３７】
（第３の実施の形態）
図４は第３の実施形態を示し、本実施形態では、図１に示す上記ポリエステルフィルム層３の代わりに、ポリプロピレンのパールフィルム（東洋紡株式会社製）を用いてパールフィルム層９にてシート本体１を構成したものである。
また、パールフィルム層９の厚さは、３５μｍ〜１００μｍの範囲としている。
【００３８】
（１）ホワイトボード専用のインキマーカー
このインキマーカーではパールフィルム層９の表面に文字等を綺麗に書くことができる。
しかしながら、このインキマーカーに付属している消し部で消しても、跡が残り、ティッシュペーパーや消しゴムでも同じように跡が残るため、インキマーカーは本実施形態では向かない。
【００３９】
（２）一般に市販されている水性マーカー
この水性マーカーではシート本体１のポリエステルフィルム層３に文字等の書き込みは若干インキがはじき、全体として薄い状態となる。
消しゴムやティッシュペーパーでこすっても、上記インキマーカーの場合と同様に跡が残り、この水性マーカーも本実施形態では向かない。
【００４０】
（３）一般に市販されている油性マーカー
この油性マーカーでは、綺麗に書くことができるが、消しゴムやティッシュペーパーで消しても消しにくく、また、消えても跡が残る。そのため、この油性マーカーも本実施形態において向かない。
【００４１】
（４）フリクションボールペン
フリクションボールペンは、線幅が若干細くなるが、実使用上全く問題なく文字等を書くことができる。インキを消去する場合、指やティッシュペーパーでこすると簡単に綺麗に消去することができる。また、消しゴムでも簡単に文字等を綺麗に消すことができる。したがって、シート本体１の全面にわたって文字等を消す場合は、ティッシュペーパーの方が好適例である。
【００４２】
（５）鉛筆
普通の紙の上に書いているようにパールフィルム層９の表面に綺麗に文字等を書くことができる。文字等を消す場合は、ティッシュペーパーでは無理であるが、消しゴムの場合は綺麗に消すことができる。
【００４３】
（６）ゲルインキボールペン
パールフィルム層９の表面に綺麗に文字等を書くことができる。文字等を消す場合は、ティッシュペーパーでは無理であるが、消しゴムの場合は綺麗に消すことができる。
【００４４】
（７）一般に市販されているボールペン
パールフィルム層９の表面に綺麗に文字等を書くことができる。文字等を消す場合は、ティッシュペーパーでは無理であるが、消しゴムの場合は綺麗に消すことができる。
【００４５】
本実施形態では、フリクションボールペンで書くことができるものの、このフリクションボールペンのインキを消す場合には、付属している消しゴムで消す必要はなく、一般の消しゴムで簡単に綺麗に消すことができる。なお、一般の紙にフリクションボールペンで書いたインキを一般の消しゴムで消しても、綺麗に消すことができず、跡が残る。
また、本実施形態では、一般に市販されているボールペン、鉛筆で綺麗に書くことができ、しかも、一般の消しゴムで文字等を消すことができるものである。そのため、特に、やや特殊なフリクションボールペンを用いる必要はない。
【００４６】
ここで、パールフィルム層９の厚さを３５μｍ〜１００μｍの範囲としているが、３５μｍ未満では、薄くなってボールペンや鉛筆の先で破損する恐れがあり、また、１０１μｍ以上としてもコストが上がり、経済的効果が乏しい。それで、パールフィルム層９の厚さは、３５μｍ〜１００μｍの範囲が好適例である。
【００４７】
このように、上記各実施形態において、ベース基材２の表面に、ポリエステルフィルム層３、ポリプロピレンフィルム層６、パールフィルム層９のいずれかを単に貼合してシート本体１を形成していることで、シート本体１を安価に製造することができる。
【００４８】
また、各実施形態において、所定の筆記具４において、シート本体１の表面に綺麗に書くことができ、しかも所定の消しゴムやティッシュペーパーで綺麗に消すことができるので、少なくとも数百回の書き込み、消去が可能である。
また、例えば、Ａ４版の大きさのシート本体１として、その表面に学習用に文字や計算をし、不要となれば、消去することで、計算用紙等の無駄遣いを無くすことができ、省資源化に大いに寄与することができるものである。
【００４９】
なお、ベース基材２の表面に、金色やアルミ箔、模様を施した和紙を貼合し、その表面にポリエステルフィルム層３、ポリプロピレンフィルム層６、パールフィルム層９のいずれかを貼合することで、シート本体１に高級感や豪華さを持たせることができ、しかも、安価にシート本体１を製造することができる。
【００５０】
なお、上記各実施形態において、ベース基材２の一方の面にポリエステルフィルム層３、ポリプロピレンフィルム層６、パールフィルム層９のいずれか貼合していたが、ベース基材２の他方の面にも各フィルム層３、６、９のいずれかを貼合して、同じ特性の層を貼合したり、他の特性の層を貼合して組み合わせるようにしても良い。
【符号の説明】
【００５１】
１  シート本体
２  ベース基材
３  ポリエステルフィルム層３
４  筆記具
６  ポリプロピレンフィルム層
９  ポリプロピレンのパールフィルム層
【図１】
2010167728.tif 000003
【図２】
2010167728.tif 000004
【図３】
2010167728.tif 000005
【図４】
2010167728.tif 000006